(57)【要約】【課題】混和池内の被処理液により多くの乱流を起こし、短絡流や共回りを抑制することにより、被処理液を均一にかつ高効率で攪拌させることができる攪拌装置を提供する。【解決手段】攪拌装置は、混和池１内に設けられ回転運動により水平方向に被処理液を循環流通させる攪拌羽根５Ａと、混和池１内に設けられ攪拌により被処理液の短絡流及び共回りを防止する阻流部１１とを備える。阻流部１１は、混和池１内の側壁に沿って所定間隔を空けて複数設けられ、攪拌時に、該混和池１内の側壁近傍の被処理液の流れに乱流を発生させる乱流発生部１２を有する側面阻流装置である。【選択図】図１
2015213902.tif 000002
【特許請求の範囲】
【請求項１】
被処理液が導入される混和池と、
前記混和池内に設けられ回転運動により水平方向に被処理液を循環流通させ攪拌する攪拌羽根と、
前記混和池内に設けられ前記攪拌により被処理液の短絡流及び共回りを防止する阻流部と、を備えた攪拌装置において、
前記阻流部は、前記混和池内の側壁に沿って所定間隔を空けて複数設けられ、前記攪拌時に、該混和池内の側壁近傍の被処理液の流れに乱流を発生させる乱流発生部を有する側面阻流装置であることを特徴とする攪拌装置。
【請求項２】
前記乱流発生部の表面には複数の凹凸、又は複数の開口が形成されていることを特徴とする請求項１に記載の攪拌装置。
【請求項３】
前記混和池を上下二分する様に該混和池内に設けられ、中央部に前記被処理液の流通を可能とする開口を有し、該混和池内の上下方向に被処理液を循環流通させる水平阻流装置をさらに有することを特徴とする請求項１又は２に記載の攪拌装置。
【請求項４】
前記攪拌羽根は、前記水平阻流装置を挟むように配置された上下２段の撹拌羽根であることを特徴とする請求項３に記載の攪拌装置。
【請求項５】
前記側面阻流装置は、前記乱流発生部と、前記混和池内の定位置固定する支持部と、から構成された三角柱形状であることを特徴とする請求項１乃至４のいずれか一項に記載の攪拌装置。
【請求項６】
前記側面阻流装置は、前記乱流発生部と、前記混和池内の所定位置に固定するための支持部と、から構成された三角錐形状であることを特徴とする請求項１乃至４のいずれか一項に記載の攪拌装置。
【請求項７】
前記乱流発生部は、互いに平行に隙間を設けて配置された複数の棒体から構成されていることを特徴とする請求項１乃至６のいずれか一項に記載の攪拌装置。
【請求項８】
前記棒体は、逆Ｖ字型断面又はＬ字型断面を有することを特徴とする請求項７に記載の攪拌装置。
【請求項９】
混和池内の側壁近傍の被処理液の流れに乱流を発生させる乱流発生部を有する側面阻流装置を、前記混和池内の側壁に沿って所定間隔を空けて複数設け、
前記混和池の中央に設けられ、回転運動により水平方向に被処理液を循環流通させ攪拌する攪拌羽根を配置し、
前記攪拌羽根の回転運動により水平方向に被処理液を循環流通させ攪拌すると共に、前記側面阻流装置により側壁近傍の被処理液の流れに乱流を発生させることにより、被処理液の短絡流及び共回りを防止することを特徴とする攪拌装置の設置方法。
【請求項１０】
被処理液が導入される混和池と、
前記混和池内に設けられ回転運動により水平方向に被処理液を循環流通させ攪拌する攪拌羽根と、
前記混和池内に設けられ前記攪拌により被処理液の短絡流及び共回りを防止する阻流部と、を有する攪拌装置の設置方法において、
前記阻流部は、前記混和池を上下二分する様に設けられ、中央部に前記被処理液の流通を可能とする開口を有し、該混和池内の上下方向に被処理液を循環流通させる水平阻流部と、前記混和池内の側壁近傍の被処理液の流れに乱流を発生させる乱流発生部を有する側面阻流装置と、から構成され、
前記阻流部を前記混和池の側壁に沿って所定間隔を空けて複数配置し、
前記水平阻流部の開口に前記攪拌羽根を挿通して前記混和池の中央に該攪拌羽根を配置し、
前記混和池内の上下方向に被処理液を循環流通させると共に、前記混和池内の側壁近傍の被処理液の流れに乱流を発生させることを特徴とする攪拌装置の設置方法。
【発明の詳細な説明】
【技術分野】
【０００１】
本発明は、水道関連における水処理、浄水処理、排水処理、下水処理において、クリプトスポリジウム対策及び攪拌技術に関し、特に、側面阻流板、水平阻流板などの阻流装置を備えた攪拌装置及びその設置方法に関する。
【背景技術】
【０００２】
１９９６年以降、水道におけるクリプトスポリジウムの水質汚染が発覚し、多くの浄水場でクリプトスポリジウム対策を行う必要性が生じてきた。特に、厚生労働省から平成１３年１１月に発表されたクリプトスポリジウム暫定策指針においては、凝集操作として、（１）凝集剤を注入した直後に攪拌し、被処理液全体に一様に凝集剤を拡散させること、（２）凝集用薬品の注入率を変えたときには、必ずフロック形成池及び沈澱池での処理結果を確認すること、等の記載があり、最近の「水道におけるクリプトスポリジウムへの対策」としての、混和・凝集処理の重要性が益々高まっている。
【０００３】
前述した凝集処理は、一般的には混和池及びフロック形成池にて行われる。混和池とは、凝集剤を添加してできるだけ急速に攪拌し、濁質を凝集して微小なフロックを形成する池であり、フロック形成池は、混和池にて生成した微小フロックを大きく成長させる為に緩やかに攪拌する池である。
【０００４】
混和・凝集処理には、混和池攪拌機を用いることが有効であり、混和池攪拌機は、凝集剤を注入した後、直ちに急速な攪拌を与え、凝集剤を被処理液中に均一に拡散させるものとして広く知られている。そして、混和・凝集処理における攪拌装置においては、阻流板による攪拌効果が前記クリプトスポリジウムへの対策の上でも有効であることも知られている。
【０００５】
図２１には、従来の混和池における攪拌装置の側面断面図が示されている。図２２は、側面阻流板の配置を示した混和池の平面図であり、図２３は側面阻流板による被処理液の流れを示した側面断面拡大図である。図２１、図２２、図２３に示すように、従来における攪拌装置は、被処理液が導入される混和池１００と、混和池１００の上方に設けられ駆動装置１０１による回転運動により水平方向に被処理液を循環させ攪拌する攪拌羽根（インペラ）１０４と、混和池１００内に設けられ前記攪拌により被処理液の短絡流及び共回りを防止する阻流部１１０と、を備えた主要構成としている。
【０００６】
阻流部１１０としての側面阻流板は、混和池１００の側壁に複数配置され、駆動装置１０１による攪拌羽根１０４の回転により、図示矢印で示す様に流入管１１１より流入された被処理液を攪拌する。その被処理液の攪拌状態は、図２１の矢印に示す様に攪拌羽根１０４の回転により、混和池１００中央へ渦が発生すると共に、図２２及び図２３に示す様に、同時に側面阻流板１１０により被処理液に乱流を発生させる。側面阻流板１１０の近傍には大きな渦が発生し、これによって、攪拌効果を得ている。
【０００７】
この側面阻流板１１０を設置する目的は、図２２及び図２３に示す様に、混和池１００内の水流を阻害して乱流を発生させること、及び混和池１００内の被処理液が攪拌羽根１０４の動きにつれて共回りすることを防止し、被処理液の短絡流を防止することである。この共回りとは、混和池１００内の被処理液が内壁沿いに攪拌羽根１０４と共に回るだけの液流になり、上下方向での攪拌ができていない状態を示すものである。また、短絡流とは、被処理液が均等に流れず、平均的な滞留時間を経ずに、短い時間で混和池１００から流出する流れを意味する。
【０００８】
そして、この共回り状態では、混和池１００における被処理液中の濁質のうち、粒子径が１０−２mm程度以上のものは単純な沈澱によって除去可能であるが、粒子径が１０−３mm以下のコロイド粒子は殆ど沈降しないため、凝集処理によってコロイド状の濁質をフロック化して、沈澱池や急速ろ過池で除去する必要がある。
【０００９】
この様な混和池攪拌機は、凝集剤を使用する場合でも、凝集剤の注入後、直ちに急速な攪拌を与え、凝集剤を被処理液中に均一に拡散させることができる。
【先行技術文献】
【特許文献】
【００１０】
【特許文献１】実開昭５９−９３６３５号公報
【特許文献２】特開２００７−１１７８４５号公報
【特許文献３】特許第３６７６６５９号公報
【特許文献４】特許第３４４６６２１号公報
【発明の概要】
【発明が解決しようとする課題】
【００１１】
しかしながら、前述した従来技術における側面阻流板１１０を用いた攪拌装置では、拡散効果はあるものの、図２２及び図２３に示す様に渦が大きく、また渦の発生が少ないために十分な攪拌効果が得られなかった。従って、水流の短絡流（ショートパス）や共回りにより、被処理液全体に一様に、且つ迅速に凝集剤を攪拌させることが出来ないという問題があった。
【００１２】
本発明は、上記従来の課題に鑑み成されたものであり、その目的は、混和池内の被処理液により多くの乱流を起こし、短絡流や共回りを抑制することにより、被処理液を均一にかつ高効率で攪拌させることができる攪拌装置及びその設置方法を提供することにある。
【課題を解決するための手段】
【００１３】
上述した目的を達成するために、本発明の一態様は、被処理液が導入される混和池と、前記混和池内に設けられ回転運動により水平方向に被処理液を循環流通させ攪拌する攪拌羽根と、前記混和池内に設けられ前記攪拌により被処理液の短絡流及び共回りを防止する阻流部と、を備えた攪拌装置において、前記阻流部は、前記混和池内の側壁に沿って所定間隔を空けて複数設けられ、前記攪拌時に、該混和池内の側壁近傍の被処理液の流れに乱流を発生させる乱流発生部を有する側面阻流装置であることを特徴とする。
【００１４】
本発明の好ましい態様は、前記乱流発生部の表面には複数の凹凸、又は複数の開口が形成されていることを特徴とする。
本発明の好ましい態様は、前記混和池を上下二分する様に該混和池内に設けられ、中央部に前記被処理液の流通を可能とする開口を有し、該混和池内の上下方向に被処理液を循環流通させる水平阻流装置をさらに有することを特徴とする。
本発明の好ましい態様は、前記攪拌羽根は、前記水平阻流装置を挟むように配置された上下２段の撹拌羽根であることを特徴とする。
本発明の好ましい態様は、前記側面阻流装置は、前記乱流発生部と、前記混和池内の定位置固定する支持部と、から構成された三角柱形状であることを特徴とする。
本発明の好ましい態様は、前記側面阻流装置は、前記乱流発生部と、前記混和池内の所定位置に固定するための支持部と、から構成された三角錐形状であることを特徴とする。
本発明の好ましい態様は、前記乱流発生部は、互いに平行に隙間を設けて配置された複数の棒体から構成されていることを特徴とする。
本発明の好ましい態様は、前記棒体は、逆Ｖ字型断面又はＬ字型断面を有することを特徴とする。
【００１５】
本発明の他の態様は、混和池内の側壁近傍の被処理液の流れに乱流を発生させる乱流発生部を有する側面阻流装置を、前記混和池内の側壁に沿って所定間隔を空けて複数設け、前記混和池の中央に設けられ、回転運動により水平方向に被処理液を循環流通させ攪拌する攪拌羽根を配置し、前記攪拌羽根の回転運動により水平方向に被処理液を循環流通させ攪拌すると共に、前記側面阻流装置により側壁近傍の被処理液の流れに乱流を発生させることにより、被処理液の短絡流及び共回りを防止することを特徴とする攪拌装置の設置方法である。
【００１６】
本発明の他の態様は、被処理液が導入される混和池と、前記混和池内に設けられ回転運動により水平方向に被処理液を循環流通させ攪拌する攪拌羽根と、前記混和池内に設けられ前記攪拌により被処理液の短絡流及び共回りを防止する阻流部と、を有する攪拌装置の設置方法において、前記阻流部は、前記混和池を上下二分する様に設けられ、中央部に前記被処理液の流通を可能とする開口を有し、該混和池内の上下方向に被処理液を循環流通させる水平阻流部と、前記混和池内の側壁近傍の被処理液の流れに乱流を発生させる乱流発生部を有する側面阻流装置と、から構成され、前記阻流部を前記混和池の側壁に沿って所定間隔を空けて複数配置し、前記水平阻流部の開口に前記攪拌羽根を挿通して前記混和池の中央に該攪拌羽根を配置し、前記混和池内の上下方向に被処理液を循環流通させると共に、前記混和池内の側壁近傍の被処理液の流れに乱流を発生させることを特徴とする攪拌装置の設置方法である。
【発明の効果】
【００１７】
本発明によれば、側面阻流装置の乱流発生部により、混和池内の被処理液に乱流の発生を促進し、短絡流や共回りを抑制することができる。また、凝集剤を添加した場合には、凝集剤を被処理液と均一に混合させることができる。
【図面の簡単な説明】
【００１８】
【図１】本発明に係る一実施例の攪拌装置の一部を示す斜視図である。
【図２】側面阻流装置の一例を示す斜視図である。
【図３】側面阻流装置の他の例を示す斜視図である。
【図４】図２に示す側面阻流装置の配置を示す説明図である。
【図５】図３に示す側面阻流装置の配置を示す説明図である。
【図６】側面阻流装置の一実施例の上面図及び正面図である。
【図７】図６のＡ−Ａ線断面図である。
【図８】側面阻流装置の他の実施例の上面図及び正面図である。
【図９】図８のＢ−Ｂ線断面図である。
【図１０】側面阻流装置のさらに他の実施例の上面図及び正面図である。
【図１１】図１０のＣ−Ｃ線断面図である。
【図１２】側面阻流装置のさらに他の実施例の上面図及び正面図である。
【図１３】図１２のＤ−Ｄ線断面図である。
【図１４】側面阻流装置のさらに他の実施例の上面図及び正面図である。
【図１５】図１４のＥ−Ｅ線断面図である。
【図１６】図３に示す側面阻流装置を図１に示す混和池内に設置したときの流れ解析を行ったシミュレーション結果を示す図である。
【図１７】図３に示す側面阻流装置を図１に示す混和池内に設置したときの流れ解析を行ったシミュレーション結果を示す図である。
【図１８】側面阻流装置のさらに他の実施例の配置を示す説明図である。
【図１９】図１９（ａ）は図１８に示す側面阻流装置の上面図、図１９（ｂ）は正面図である。
【図２０】側面阻流装置のさらに他の実施例の配置を示す説明図である。
【図２１】従来の混和池における攪拌装置の側面断面図である。
【図２２】側面阻流板の配置を示した従来の混和池の平面図である。
【図２３】側面阻流板による被処理液の流れを示した側面断面拡大図である。
【発明を実施するための形態】
【００１９】
本発明に係る実施例を、図１〜図２０を用いて詳細に説明する。まず、攪拌装置の構造を説明する。攪拌装置としての混和池攪拌機（例えばフラッシュミキサ）は、被処理液が導入される混和池１と、混和池１の上方に設けられた駆動装置３と、駆動装置３による回転運動により水平方向に被処理液を循環させ攪拌する攪拌羽根５Ａ，５Ｂと、混和池１内に設けられ攪拌羽根５Ａ，５Ｂにより被処理液の短絡流及び共回りを防止する阻流装置１１，３１と、を備える。阻流装置１１，３１は、混和池１の側壁に沿って配置された複数の側面阻流装置１１と、水平に延びる水平阻流装置３１とを備えている。被処理液は、混和池１の下部に設けられた流入管２から混和池１内に流入し、混和池１の上部に設けられた流出部４から排出される。
【００２０】
混和池１は、一般的には、１〜１００ｍ３程度の容積を有しており、図１に示す様に、攪拌羽根５Ａ，５Ｂや阻流装置１１，３１を設置する際、上面は開放されているか、又は開閉可能とする蓋を備えている。混和池１は、四方を囲まれた金属又はコンクリート製で、被処理液を内部に導入し、溜める池である。混和池１として、混和槽を適用してもよく、また、同等の大きさの容器や、プールなども適用可能である。
【００２１】
攪拌羽根機構は、混和池１内において、例えば添加された凝集剤を、被処理液と混合するためのものであり、駆動装置３と、駆動シャフト６と、攪拌羽根（インペラ）５Ａ，５Ｂとから構成されている。駆動装置３に駆動シャフト６が連結され、該駆動シャフト６の下端に攪拌羽根５Ａが設けられる。本実施例では、攪拌効果を上げるために、駆動シャフト６の中間位置に攪拌羽根５Ｂが更に設けられており、２段式の攪拌羽根５Ａ，５Ｂが構成されている。この様な構成を備えた攪拌装置によれば、凝集剤を注入した後、直ちに急速な攪拌を与え、凝集剤を被処理液中に均一に拡散させることができる。
【００２２】
阻流部としての阻流装置１１，３１は、複数の側面阻流装置１１と、水平阻流板（水平邪魔板）である水平阻流装置３１とから構成されている。側面阻流装置１１は、混和池１内の側壁に沿って所定間隔を空けて複数設けられており、被処理液の攪拌時に、混和池１の側壁に沿って周方向に流れる被処理液に乱流を発生させるように構成されている。図１に示すように、側面阻流装置１１は水平阻流板３１の上方に複数配置され、さらに水平阻流板３１の下方にも複数配置されている。図１に示す例では、４つの側面阻流装置１１が水平阻流板３１の上方に複数配置され、４つの側面阻流装置１１が水平阻流板３１の下方に配置されている。
【００２３】
以下、側面阻流装置１１についてより詳細に説明する。図２は、側面阻流装置１１の一例を示す図である。側面阻流装置１１は、金属製の棒状の剛体、パイプ（断面Ｏ字型の鋼材）、アングル（断面Ｌ字型の鋼材）などを用いて構成された乱流発生部１２を有する。この側面阻流装置１１は、互いに平行に水平に延びる複数の棒体（横型フラットバー）１４と、これら棒体１４が固定される支持部（支持フレーム）１５とを有している。乱流発生部１２は、これら複数の棒体１４から構成されている。
【００２４】
図３は、側面阻流装置１１の他の例を示す図である。この側面阻流装置１１は、互いに平行に鉛直に延びる複数の棒体（縦型フラットバー）１４と、これら棒体１４が固定される支持部１５（支持フレーム）とを有している。乱流発生部１２は、これら複数の棒体１４から構成されている。図２及び図３に示す側面阻流装置１１は、全体として三角柱形状を有している。
【００２５】
乱流発生部１２を構成する棒体１４の向きは、図示の例に限らず、乱流が形成される様に攪拌効果があればよいので、縦、横、斜めのどれでもよい。これらの側面阻流装置１１は、図４に示す様に、混和池１の各側壁のほぼ中央部に配置されており、支持部１５をボルト締め、又は溶接することによって混和池１の側壁に固定される。このような側面阻流装置１１を混和池１の側壁に配置することにより、混和池１の壁面に、より多くの乱流を起こさせることが可能となる。
【００２６】
また、図５に示す様に、混和池１の４隅に、ボルト締めや、溶接によって固定してもよい。これにより、混和池１の４隅部に、より多くの乱流を起こさせることが可能となる。図１〜図５に示している矢印は、攪拌羽根５Ａ，５Ｂの攪拌による被処理液の流れを示す。図４及び図５では、水平阻流装置３１の下方に配置されている側面阻流装置１１のみを図示しているが、図１に示すように、水平阻流装置３１の上方にも同じように側面阻流装置１１が配置される。
【００２７】
図６は、側面阻流装置１１の一実施例を示す上面図及び正面図であり、図７は図６のＡ−Ａ線断面図である。この実施例に係る側面阻流装置１１は、乱流発生部１２として、逆Ｖ字型断面を有する金属製の複数の棒体１４を備えている。これら棒体１４は鉛直方向に延びており、所定の隙間を空けて水平方向に沿って配列されている。従って、乱流発生部１２には、多数の縦スリット１６、すなわち多数の開口が形成されている。図７に示すように、側面阻流装置１１は、被処理液が各棒体１４に垂直に当たるように配置される。被処理液の一部は棒体１４に衝突し、被処理液の一部は縦スリット（開口）１６を通過する。このような被処理液の速度差によって棒体１４の裏側には小さな渦が多数形成され、これによって撹拌効果を向上させることができる。
【００２８】
図８は、側面阻流装置１１の一実施例を示す上面図及び正面図であり、図９は図８のＢ−Ｂ線断面図である。この実施例に係る側面阻流装置１１は、乱流発生部１２として、Ｌ字型断面を有する金属製の複数の棒体１４を備えている。このような棒体１４はアングルと呼ばれている。これら棒体１４は鉛直方向に延びており、所定の隙間を空けて水平方向に沿って配列されている。従って、乱流発生部１２には、多数の縦スリット１６、すなわち多数の開口が形成されている。
【００２９】
図９に示すように、側面阻流装置１１は、被処理液が各棒体１４に垂直に当たるように配置される。この実施例においても、棒体１４の裏側には小さな渦が多数形成され、これによって撹拌効果を向上させることができる。図９から分かるように、棒体１４がＬ字型断面を有しているために、被処理液は、まず棒体１４の突出部に衝突し、その後水平部に衝突する。このように、棒体１４に接触する被処理液には時間差が生じるので、より効果的に渦を発生させることが期待される。
【００３０】
図１０は、側面阻流装置１１の一実施例を示す上面図及び正面図であり、図１１は図１０のＣ−Ｃ線断面図である。この実施例に係る側面阻流装置１１は、乱流発生部１２として、長板状の金属製の複数の棒体１４を備えている。これら棒体１４は水平方向に延びており、所定の隙間を空けて鉛直方向に沿って配列されている。従って、乱流発生部１２には、多数の横スリット１６、すなわち多数の開口が形成されている。図１１に示すように、側面阻流装置１１は、被処理液が各棒体１４に垂直に当たるように配置される。この実施例においても、棒体１４の裏側には小さな渦が多数形成され、これによって撹拌効果を向上させることができる。
【００３１】
図１２は、側面阻流装置１１の一実施例を示す上面図及び正面図であり、図１３は図１２のＤ−Ｄ線断面図である。この実施例に係る側面阻流装置１１は、乱流発生部１２として、長板状の金属製の複数の棒体１４を備えている。これら棒体１４は鉛直方向に延びており、所定の隙間を空けて水平方向に沿って配列されている。従って、乱流発生部１２には、多数の縦スリット１６、すなわち多数の開口が形成されている。図１３に示すように、側面阻流装置１１は、被処理液が各棒体１４に垂直に当たるように配置される。この実施例においても、棒体１４の裏側には小さな渦が多数形成され、これによって撹拌効果を向上させることができる。
【００３２】
図１４は、側面阻流装置１１の一実施例を示す上面図及び正面図であり、図１５は図１４のＥ−Ｅ線断面図である。この実施例に係る側面阻流装置１１は、乱流発生部１２として、金属製の１枚の板体１７を備えている。この板体１７には複数の通孔（すなわち開口）１８が形成されている。図１５に示すように、側面阻流装置１１は、被処理液が板体１７に垂直に当たるように配置される。この実施例においても、板体１７の裏側には小さな渦が多数形成され、これによって撹拌効果を向上させることができる。
【００３３】
図１６および図１７は、図３に示す側面阻流装置１１を図１に示す混和池１内に設置したときの流れ解析を行ったシミュレーション結果を示す図である。この側面阻流装置１１は、互いに平行に鉛直に延びる複数の棒体（縦型フラットバー）１４を持つタイプである。シミュレーションの目的は、側面阻流装置１１によって乱流の発生が促進されること、および被処理液の共回りが側面阻流装置１１によって防止されることを確認することである。
【００３４】
図１６は、図１に示す攪拌羽根５と、側面阻流装置１１を想定して４つ間隔をあけて立設した棒体１４と、により、シミュレーションを行った図であり、側面斜め上方から見た図である。図１７は、側面阻流装置１１を想定して間隔をあけて立設した棒体１４のシミュレーションを行った図であり、側面斜め上方から見た拡大図である。図１６および図１７に示す濃淡部分は、流速が変化している部分を表し、また矢印は、べクトルで流れの方向、向きを表し、矢印の長さは流速の大きさ表す。
【００３５】
シミュレーションの条件は以下の通りである。
・混和池１の水槽の幅と長さ９００ｍｍ、水槽高さ１０００ｍｍ
・攪拌羽根５Ａ，５Ｂ（上下二段）の直径２９０ｍｍ、各翼の幅４０ｍｍ、各翼の長さ１００ｍｍ、翼の枚数６枚
・下段の攪拌羽根５Ａの池底からの高さ３００ｍｍ、上段の攪拌羽根５Ｂの池底からの高さ６６０ｍｍ
・攪拌羽根５Ａ，５Ｂの周速１．７ｍ／ｓ、攪拌羽根５Ａ，５Ｂの回転速度１．９回／ｓ
【００３６】
以上の条件下でシミュレーションを実行し、流れ解析を行ったところ、図１６および図１７に示す結果が得られた。これらの図面に示す流れ解析結果から分かるように、棒体１４の後方には小さな乱流が形成されており、棒体１４の間を被処理液が通過することによって多くの乱流が発生している。また、図１６から分かるように、攪拌羽根５Ａ，５Ｂによって掻き回された被処理液の流れが棒体１４によって大きく変化し、被処理液の共回りが防止されている。このように、本実施形態の側面阻流装置１１は、混和池１内の被処理液により多くの乱流を起こし、短絡流や共回りを抑制することができる。
【００３７】
次に、水平阻流装置（水平邪魔板）３１について説明する。水平邪魔板としての水平阻流装置３１の材料には、例えば金属材料、ステンレス鋼、ＳＳ４００、ＳＵＳ３０４を用いることができる。図１に示すように、水平阻流装置（水平邪魔板）３１は、上から見たときに四角形状の板状のものであり、中央に円形形状の開口３２が設けられている。この開口３２の直径は、攪拌羽根５Ａ，５Ｂの直径よりも大きくてもよく、又は小さくてもよい。
【００３８】
この水平阻流装置３１は、混和池１を上下二分する様に設けられ、中央部の開口３２により混和池１内の上下方向に被処理液を循環流通させることが可能である。この水平阻流装置３１により、無い場合に比して、混和池１の上下方向に乱流を発生させることが可能となる。攪拌羽根５Ａは水平阻流装置３１の上方に配置されており、攪拌羽根５Ｂは水平阻流装置３１の下方に配置されている。
【００３９】
水平阻流装置３１を混和池１に設置するためには、サポートが必要である。このサポートに、縦型フラットバーの側面阻流装置１１を用いることもできる。即ち、水平阻流装置３１を混和池１の側壁に直接、溶接やボルト締めにより固定するのではなく、図１、図４、図５に示す様に、水平阻流装置３１の上面及び／又は下面の所定位置に、側面阻流装置１１を予め溶接、又はボルト締めで固定しておき、一体化させて、これを混和池１に設置する。この場合、例えば図１に示す様に、水平阻流装置３１が混和池１をほぼ二分する高さに位置する様に、側面阻流装置１１に支持脚３３を設ける様にしてもよい。
【００４０】
図１８乃至図２０は、水平阻流装置３１のサポートにフラットバー１４を取り付けて乱流発生部１２を構成した例を示している。これらの例では、水平阻流装置３１のサポートは、側面阻流装置１１の支持部１５としても機能しており、より簡易な構成となっている。図１８乃至図２０に示す側面阻流装置１１は、全体として三角錐形状を有している。図１８及び図２０に示す側面阻流装置１１の配置は、図４及び図５に示す配置とほぼ同じである。
【００４１】
次に、上述のように構成された攪拌装置の動作について説明する。まず、攪拌羽根５Ａ，５Ｂの回転により、混和池１内で被処理液が水平方向に回転し、攪拌する循環流通が行われる。図１に示す様に、攪拌羽根５Ａ，５Ｂが水平阻流装置３１を挟む様に上下２段に配置されているので、混和池１内の槽列数が増すことから、短絡流が減る。そして、混和池１の側壁に沿って複数の側面阻流装置１１が設けられているため、乱流が生じ、凝集に必要なエネルギーを被処理液に与えることができる。
【００４２】
前述した被処理液の水平方向の循環流通は、側面阻流装置１１の乱流発生部１２により、該混和池１内の側壁近傍において、被処理液の流れに多くの乱流を発生させることができる。つまり、前記乱流発生部１２には、複数の開口１６，１８が設けられているので、乱流発生部１２の裏側に多くの小さな乱流を発生させることができる。さらに、断面Ｌ字状又は断面逆Ｖ字状の棒体１４を使用した場合には、乱流発生部１２の表面に複数の凹凸が形成されるので、乱流発生部１２の表面においても多くの小さな乱流を発生させることができる。
【００４３】
以上のような、側面阻流装置１１と水平阻流装置３１とを組合せることにより、より多くの大小の乱流を起こし、短絡流や共回りを抑制して、攪拌効果を最大限に向上させることができる。
【００４４】
尚、本実施例によれば、側面阻流装置１１と水平阻流装置３１とを組合せ、両方を設置することにより、より確実に最大限に短絡流と共回りを防止する場合の例を挙げたが、これに限定されず、必ずしも水平阻流装置３１が必要とされるものではなく、夫々、単独に、別々に適用しても良い。
【００４５】
上述した実施例によれば次のような効果を得ることができる。浄水場内の混和池１において、２種類の阻流装置を設置することにより、阻流板が池内の水流を阻害して乱流を発生し、混和池１内の被処理液が攪拌羽根５Ａ，５Ｂの動きにつれて共回り運動をすることを防止し、また、短絡流を減らすことができ、より確実な混和を行うことができる。これにより、阻流装置を設置しない場合に比べ、混和池１に注入された凝集剤を被処理液中により均一に拡散させることができる。
【００４６】
一方の阻流装置、例えば、縦型フラットバーを備えた側面阻流装置１１は、他方の阻流装置、例えば、水平邪魔板からなる水平阻流装置３１のサポートを兼ねることもできる。このように構成すれば、阻流装置の設置が簡単になり、阻流装置の構造も簡素になり、軽量化することができ、装置本体価格の低減、及び設置に関わる工事費用も低減できる。
【００４７】
以上本発明の実施形態について説明したが、本発明は上記実施形態に限定されるものではなく、特許請求の範囲、及び明細書と図面に記載された技術的思想の範囲内において種々の変形が可能である。
【符号の説明】
【００４８】
１    混和池
３    駆動装置
５Ａ，５Ｂ    攪拌羽根
６    駆動シャフト
１１    側面阻流装置
１２    乱流発生部
１４    棒体
１６    スリット（開口）
１７    板体
１８    通孔（開口）
３１    水平阻流装置
３２    開口
３３    支持脚
【図１】
2015213902.tif 000003
【図２】
2015213902.tif 000004
【図３】
2015213902.tif 000005
【図４】
2015213902.tif 000006
【図５】
2015213902.tif 000007
【図６】
2015213902.tif 000008
【図７】
2015213902.tif 000009
【図８】
2015213902.tif 000010
【図９】
2015213902.tif 000011
【図１０】
2015213902.tif 000012
【図１１】
2015213902.tif 000013
【図１２】
2015213902.tif 000014
【図１３】
2015213902.tif 000015
【図１４】
2015213902.tif 000016
【図１５】
2015213902.tif 000017
【図１８】
2015213902.tif 000018
【図１９】
2015213902.tif 000019
【図２０】
2015213902.tif 000020
【図２１】
2015213902.tif 000021
【図２２】
2015213902.tif 000022
【図２３】
2015213902.tif 000023
【図１６】
2015213902.tif 000024
【図１７】
2015213902.tif 000025